(57)【要約】      （修正有）【課題】フロントパネルを備えた装置のカードスロットへカード型記録媒体を着脱する際に装置本体およびカード型記録媒体を電気的および物理的に保護する。【解決手段】カード型記録媒体２１ａが記録媒体格納部２１に挿入されているか否かを検出する第１検出手段と、カード型記録媒体２１ａが電子機器と電気的に接続されているか否かを検出する第２検出手段と、第１検出手段により検出された状態と、第２検出手段により検出された状態とに基づいて、カード型記録媒体２１ａの装着状態を判別する判別手段と、判別手段の結果に基づいてパネル駆動機構を制御する駆動制御手段３２とを備えている。【選択図】図３
2007273073.tif 000002
【特許請求の範囲】
【請求項１】
本体部と、当該本体部の前面に設けられその下端を回転中心として支持部材に回転可能に支持されたフロントパネルと、前記フロントパネルをその前面が上方を向くように傾倒させた開状態と、その傾倒させた開状態から前記フロントパネルを引き起こした閉状態に復帰させるように前記フロントパネルの下端を支持部材を介して前後方向に移動させるパネル駆動機構と、を備える電子機器において、
前記本体部には、少なくともカード型記録媒体を挿入口から着脱可能に格納する記録媒体格納手段を備えると共に、
前記カード型記録媒体が前記記録媒体格納部に挿入されているか否かを検出する第１検出手段と、
前記カード型記録媒体が前記電子機器と電気的に接続されているか否かを検出する第２検出手段と、
前記第１検出手段により検出された状態と、前記第２検出手段により検出された状態とに基づいて、前記カード型記録媒体の装着状態を判別する判別手段と、
前記判別手段の結果に基づいて前記パネル駆動機構を制御する駆動制御手段と、を備えたことを特徴とする電子機器。
【請求項２】
前記判別手段は、前記第１検出手段によりカード型記録媒体が前記格納部に挿入されていると検出され、且つ、前記第２検出手段によりカード型記録媒体が電気的に接続されていないと検出した際に、カード型記録媒体が適正に装着されていないと判別し、
前記駆動制御手段は、前記判別手段によりカード型記録媒体が適正に装着されていないと判別した際に、前記パネル駆動機構による駆動を停止制御することを特徴とする請求項１に記載の電子機器。
【請求項３】
情報を表示する表示手段を備え、
前記判別手段の判別結果に基づいて、前記カード型記録媒体の装着状態を前記表示手段に表示することを特徴とする請求項１または２に記載の電子機器。
【請求項４】
前記判別手段の判別結果に基づいて、前記カード型記録媒体が適正に装着されていない際に、警告を報知する報知手段を備えたことを特徴とする請求項１〜３のいずれかに記載の電子機器。
【請求項５】
本体部と、当該本体部の前面に設けられその下端を回転中心として支持部材に回転可能に支持されたフロントパネルと、
前記フロントパネルをその前面が上方を向くように傾倒させた開状態と、その傾倒させた開状態から前記フロントパネルを引き起こした閉状態に復帰させるように前記フロントパネルの下端を支持部材を介して前後方向に移動させるパネル駆動機構と、を備える電子機器のフロントパネルの駆動方法であって、
前記フロントパネルの閉動作時には、前記カード型記録媒体が前記記録媒体格納部に挿入されているか否かを検出すると共に前記カード型記録媒体が前記電子機器と電気的に接続されているか否かを検出し、
前記カード型記録媒体が前記記録媒体格納部に挿入されていると検出され且つ前記カード型記録媒体が前記電子機器と電気的に接続されていないと判別されたときには前記カード型記録媒体が適正に装着されていないと判別して、
前記パネル駆動機構による駆動を停止制御することを特徴とする電子機器のフロントパネルの駆動方法。
【発明の詳細な説明】
【技術分野】
【０００１】
本発明は、電子機器および電子機器のフロントパネルの駆動方法に係り、特に、記録媒体格納部の前面に設けられた開閉自在なフロントパネルを開閉動作可能とする電子機器および電子機器のフロントパネルの駆動方法に関する。
【背景技術】
【０００２】
電子機器である車載用のＡＶ（オーディオ・ビデオ）装置は、ＣＤ、ＤＶＤ、カード型記録媒体、ＭＤ等の駆動装置を備えたものがある。さらに、このような車載用ＡＶ装置の前面に、開閉自在なフロントパネルを備えたものがある。このようなフロントパネルを備えた車載用のＡＶ装置において、ＰＣＭＣＩＡ規格に準拠したＴＹＰＥIまたはII等に準ずるカード型記録媒体を挿入するカードスロットを備えたものは従来なかった。
【０００３】
一方、カードスロットを備えた装置としては、ノート型パーソナルコンピュータやその周辺装置等がある。このような装置に設けられたカードスロットは、カード型記録媒体の挿入口の脇にイジェクトボタンを配置し、イジェクトボタンを押すことにより、カード型記録媒体の抜き差しが可能となるように構成されている。
【特許文献１】特開平１１−２０３８５２号公報
【特許文献２】特開平０４−２０５６９１号公報
【発明の開示】
【発明が解決しようとする課題】
【０００４】
しかしながら、カード型記録媒体へ電源が供給された状態、所謂通電中に、イジェクトボタンを誤って押してしまうと、カード型記録媒体に記憶されているデータ等が電気的に破損してしまうおそれがあり、通電中に着脱できないように様々な工夫が施されている。
【０００５】
例えば、この電気的な破損のおそれを防ぐために、カード型記録媒体が通電中であることを表示するランプ等を設けたり、音声やディスプレイへの映像表示などにより警告を発するようにしたものもあるが、これだけでは完全な保護を行うことができなかった。
【０００６】
このため、例えばカードスロットの挿入口脇に手動の電源スイッチを設け、イジェクトボタンと機構的に連動させて、電源スイッチをオフしなければ、イジェクトボタンを押すことができないようにロックすることも考えられる。
【０００７】
しかし、この場合でも、電源スイッチを手動で操作する必要があり、操作性が悪い。また、このような手動の電源スイッチは、その構造が大きくなるため、省スペースが要求される装置、特に車載用の装置には不向きであるという問題がある。
【０００８】
また、カード型記録媒体がスロットに不完全に挿入された所謂ハーフ挿しの状態である場合に、フロントパネルを閉じるとカード型記録媒体と接触し、フロントパネルの開閉動作に影響するおそれがある。
【０００９】
本発明は、前述した事情に鑑みてなされたものであり、その目的は、フロントパネルを備えた装置の記録媒体格納部へカード型記録媒体を着脱する際に、装置本体およびカード型記録媒体を保護することのできる電子機器および電子機器のフロントパネルの駆動方法を提供することにある。
【課題を解決するための手段】
【００１０】
前述した目的を達成するために、本発明に係る電子機器は、請求項１に記載したように、本体部と、当該本体部の前面に設けられその下端を回転中心として支持部材に回転可能に支持されたフロントパネルと、前記フロントパネルをその前面が上方を向くように傾倒させた開状態と、その傾倒させた開状態から前記フロントパネルを引き起こした閉状態に復帰させるように前記フロントパネルの下端を支持部材を介して前後方向に移動させるパネル駆動機構と、を備える電子機器において、前記本体部には、少なくともカード型記録媒体を挿入口から着脱可能に格納する記録媒体格納手段を備えると共に、前記カード型記録媒体が前記記録媒体格納部に挿入されているか否かを検出する第１検出手段と、前記カード型記録媒体が前記電子機器と電気的に接続されているか否かを検出する第２検出手段と、前記第１検出手段により検出された状態と、前記第２検出手段により検出された状態とに基づいて、前記カード型記録媒体の装着状態を判別する判別手段と、前記判別手段の結果に基づいて前記パネル駆動機構を制御する駆動制御手段を備えたことを特徴とする。
【００１１】
このように構成された電子機器においては、第１検出手段による記録媒体格納部にカード型記録媒体が挿入されているか否かの検出結果と、第２検出手段によるカード型記録媒体が電子機器と電気的に接続されているか否かの検出結果とに基づいて、判別手段がカード型記録媒体の装着状態を判別し、この判別結果に基づいて駆動制御手段がパネル駆動機構を制御するので、カード型記録媒体の装着状態に応じてフロントパネルの開閉動作を行うことができる。これにより、安全にカード型記録媒体の着脱を行うことができる。
【００１２】
本発明に係る電子機器は、請求項２に記載したように、請求項１に記載の電子機器において、前記判別手段は、前記第１検出手段によりカード型記録媒体が前記格納部に挿入されていると検出され、且つ、前記第２検出手段によりカード型記録媒体が電気的に接続されていないと検出した際に、カード型記録媒体が適正に装着されていないと判別し、前記駆動制御手段は、前記判別手段によりカード型記録媒体が適正に装着されていないと判別した際に、前記パネル駆動機構による駆動を停止制御することを特徴とする。
【００１３】
このように構成された電子機器では、第１検出手段によりカード型記録媒体が記録媒体格納部に挿入されていると検出され、且つ第２検出手段によりカード型記録媒体が電気的に接続されていないと検出された場合には、判別手段はカード型記録媒体が正常に装着されていないと判断して、パネル駆動機構によるフロントパネルの開閉動作を停止させるので、フロントパネルとカード型記録媒体とが接触するような事態を回避することができる。
【００１４】
また、本発明に係る電子機器は、請求項３に記載したように、請求項１または２に記載の電子機器において、情報を表示する表示手段を備え、前記判別手段の判別結果に基づいて、前記カード型記録媒体の装着状態を前記表示手段に表示することを特徴とする。
【００１５】
このように構成された電子機器では、第１検出手段および第２検出手段による検出結果に基づく判別手段の判別結果に基づいて、カード型記録媒体の装着状態等の情報を表示手段により表示されるので、パネル駆動機構が停止された場合等に、適正に対処することができる。
【００１６】
また、本発明に係る電子機器は、請求項４に記載したように、請求項１〜３のいずれかに記載の電子機器において、前記判別手段の判別結果に基づいて、前記カード型記録媒体が適正に装着されていない際に、警告を報知する報知手段を備えたことを特徴とする。
【００１７】
このように構成された電子機器では、判別手段が、カード型記録媒体が適正に装着されていないと判別した際には、報知手段により警告を発するので、使用者はカード型記録媒体の装着をしなおすことができる。
【００１８】
また、本発明に係る電子機器のフロントパネルの駆動方法は、請求項５に記載したように、本体部と、当該本体部の前面に設けられその下端を回転中心として支持部材に回転可能に支持されたフロントパネルと、前記フロントパネルをその前面が上方を向くように傾倒させた開状態と、その傾倒させた開状態から前記フロントパネルを引き起こした閉状態に復帰させるように前記フロントパネルの下端を支持部材を介して前後方向に移動させるパネル駆動機構と、を備える電子機器のフロントパネルの駆動方法であって、前記フロントパネルの閉動作時には、前記カード型記録媒体が前記記録媒体格納部に挿入されているか否かを検出すると共に前記カード型記録媒体が前記電子機器と電気的に接続されているか否かを検出し、前記カード型記録媒体が前記記録媒体格納部に挿入されていると検出され且つ前記カード型記録媒体が前記電子機器と電気的に接続されていないと判別されたときには前記カード型記録媒体が適正に装着されていないと判別して、前記パネル駆動機構による駆動を停止制御することを特徴とする。
【００１９】
このような電子機器のフロントパネルの駆動方法では、パネル駆動機構が支持部材を後方へ移動させて、フロントパネルの前面を引き起こす閉動作時には、カード型記録媒体が記録媒体格納部に挿入されているか否かを検出すると共に、カード型記録媒体が本体部と電気的に接続されているか否かを検出して、挿入され且つ電気的接続が行われていないと判別された場合には、カード型記録媒体が適正に装着されていないとしてパネル駆動機構の駆動を停止してフロントパネルの閉動作を停止する。このため、適正に装着されていないカード型記録媒体とフロントパネルとが干渉することを防止することができる。
【発明を実施するための最良の形態】
【００２０】
以下、本発明に係る実施の形態を図面に基づいて詳細に説明する。図１および図２は、本実施の形態に係る電子機器としての車載用のＡＶ装置を説明する図である。
【００２１】
図１および図２に示すように、ＡＶ装置１１は、ＣＤ（あるいはＤＶＤでもよい）、ＭＤの駆動装置とカードスロットを有するものであり、本体部であるＡＶ装置本体１２の前面に設けられた開閉自在なフロントパネル１３を備えており、図１は、フロントパネル１３を開いた状態、図２は、フロントパネル１３を閉じた状態を示す。このフロントパネル１３の開閉は、後述するパネル駆動機構を用いて開閉させるものである。
【００２２】
フロントパネル１３を開けた状態では、図１に示すように、前面上段にＣＤ挿入口１４とＣＤイジェクト（ＥＪＥＣＴ）ボタン１５、その下に挿入口としてのカード型記録媒体挿入口１６と取り出すための操作部であるカード型記録媒体イジェクト（ＥＪＥＣＴ）ボタン１７、その下にＭＤ挿入口１８とＭＤイジェクト（ＥＪＥＣＴ）ボタン１９が露出するようになっている。
【００２３】
なお、カード型記録媒体挿入口１６の左側の蓋２０の内側には、他のメディアの情報を記憶したり、ＡＶ装置１１にさらにカーナビゲーション機能を複合化する際に必要な地図データ等の情報を記憶する記憶装置（図示しないハードディスク等）を内蔵可能である。
【００２４】
そして、記録媒体格納手段であるカードスロット２１は、挿入口１６からＰＣＭＣＩＡ規格に準拠したＴＹＰＥIまたはIIに準ずるカード型記録媒体を挿入可能である。さらに変換アダプタを介して他の規格の各種記録媒体を挿入することが可能である。
【００２５】
そして、ＡＶ装置本体１２にＣＤ、カード型記録媒体、ＭＤ等のメディアを挿入する際には、フロントパネル１３を開けて挿入する。また、各メディアを取り出す際には、各イジェクトボタン１５、１７、１９を押すことによりＡＶ装置本体１２から取り出すことができる。
【００２６】
また、ＣＤ、カード型記録媒体、ＭＤの各挿入口１４，１６，１８は、ＡＶ装置本体１２の上部から順に設けられている。このため、各メディアを挿入する際に、フロントパネル１３を全ての挿入口が見える状態（完全に開状態）にまで開ける必要はない。つまり、ＣＤの挿入または取り出しを行う際には、ＣＤの挿入口１４が見える状態の角度まで開け、カード型記録媒体の挿入または取り出しを行う際には、カード型記録媒体の挿入口１６が見える状態の角度まで開け、ＭＤの挿入または取り出しを行う際には、ＭＤの挿入口１８が見える状態の角度まで開けるようにしてもよい。
【００２７】
さらに、フロントパネル１３の表面に表示手段および報知手段でもあるディスプレイを設け、ＣＤ、カード型記録媒体、ＭＤの挿入または取り出しの案内表示や警告表示などを表示するようにしてもよい。また、このディスプレイは、カーナビゲーション、ＤＶＤビデオ、ＴＶなどの画像表示に用いてもよい。
【００２８】
次に、フロントパネル１３を開閉させるためのパネル駆動機構１０ａについて、図３を用いて説明する。図３は、車載用のＡＶ装置１１のフロントパネル１３のパネル駆動機構１０ａを説明する側面図である。なお、図３においてはＣＤ、ＭＤの駆動装置は図示を省略する。
【００２９】
図３に示すように、フロントパネル１３の上端部には摺動ピン２２が取り付けられており、この摺動ピン２２はＡＶ装置本体１２のフレーム２３に設けられている上下ガイド溝２４に沿って上下移動するようになっている。
【００３０】
一方、フロントパネル１３の下端部には回動ピン２５が設けられており、ＡＶ装置本体１２の下端部において前後方向(図３において左右方向)に移動自在に設けられている支持部材２６の前端部に回動自在に取り付けられている。
【００３１】
なお、支持部材２６の内側には、多数の凹部２７と凸部２８とが規則的なピッチで交互に設けられているスケール部材２９が一体的に移動するように設けられている。スケール部材２９の上方には、信号発生手段である凹部２７および凸部２８を検出するためのフォトセンサ３０、３１が所定間隔で設けられている。
【００３２】
また、支持部材２６の後方(図３において右方)には、支持部材２６を前後移動させることによりフロントパネル１３を開閉させるための駆動モータ３２が設けられている。
【００３３】
従って、駆動モータ３２が図示省略の移動機構を介して支持部材２６を前後移動することにより、フロントパネル１３の開閉を行う。このときに、フォトセンサ３０、３１がスケール部材２９の凹部２７および凸部２８を検出してパルス信号を発し、このパルス信号からフロントパネル１３の開閉の角度を検出することができるようになっている。
【００３４】
次に、本実施の形態に係る車載用のＡＶ装置のカード型記録媒体に供給する電源およびパネル駆動機構を制御する制御部について説明する。図４は、制御部１０の構成を示すブロック図である。
【００３５】
制御部１０は、図４に示すように、判別手段であるＣＰＵ３３と、駆動制御手段であるマイコン３４と、第１検出手段であるカード型記録媒体挿入口１６のスイッチ３５と、第２検出手段であるカード型記録媒体の接続検出用端子３６と、電源スイッチ３９と、イジェクト（ＥＪＥＣＴ）ボタン１７と、フロントパネル操作ボタン３７と、フロントパネル１３と、フロントパネル駆動モータ３２と、信号生成手段であるパルス発生器３８と、開状態（ＯＰＥＮ）検出スイッチ４０と、閉状態（ＣＬＯＳＥ）検出スイッチ４１とを備えている。
【００３６】
ＣＰＵ３３は、カード型記録媒体の電源スイッチ３９を制御する。また、カード型記録媒体挿入口のスイッチ３５及びカード型記録媒体の接続検出用端子（例えば、ＰＣＭＣＩＡ規格に準じたコネクタのピンの１つ）３６の状態を検出することにより、カード型記録媒体２１ａの有無あるいは、カード型記録媒体２１ａが不完全に挿し込まれて電気的に接続されていない状態、つまりカード型記録媒体が適正に装着されていない状態（以下、ハーフ挿しともいう）を検出する。
【００３７】
マイコン３４は、フロントパネル操作ボタン３７の検出、フロントパネル駆動モータ３２の制御、及びパルス発生器３８によって発生したパルス数をカウントすることにより得られるフロントパネル１３の角度を認識し制御する。
【００３８】
スイッチ３５は、カード型記録媒体挿入口１６に設けられており、カードスロット２１にカード型記録媒体２１ａが挿入されているか否かを検出する。つまり、スイッチ３５は、カード型記録媒体２１ａがカードスロット２１のコネクタに接続されていない状態であっても、カード型記録媒体２１ａの存在を検出できる位置に設けられたものである。
【００３９】
フロントパネル操作ボタン３７は、フロントパネル１３に上に設置されており、フロントパネルの開閉動作を直接ユーザが操作する。フロントパネル１３は、閉じた時にはカードスロット２１の挿入口１６もしくはカードスロット２１のイジェクトボタン１７を覆い、開いた時にはカード型記録媒体の挿入口１６が挿入可能となりイジェクトボタン１７が操作可能の状態となる。
【００４０】
パルス発生器３８は、フロントパネル１３に接続されているスケール部材２９の凹部２７および凸部２８をフォトセンサ３０で検出することによりパルス信号を発生して、マイコン３４に送信する。
【００４１】
電源スイッチ３９は、カード型記録媒体２１ａに供給される電源のスイッチである。開状態（ＯＰＥＮ）検出スイッチ４０は、フロントパネル１３が完全に開いたことを検出する。また、閉状態（ＣＬＯＳＥ）検出スイッチ４１はフロントパネル１３が閉じたことを検出する。
【００４２】
このように構成された制御部１０は、フロントパネル１３の開状態への開動作時に、フロントパネル１３の動きに連動してカード型記録媒体２１ａに供給する電源を制御し、フロントパネル１３の開閉動作に連動して信号を生成するパルス発生器３８（信号生成手段）の信号に基づいてフロントパネル１３の傾倒状態を検出し、カード型記録媒体２１ａに供給する電源を制御する。
【００４３】
また、制御部１０は、カード型記録媒体２１ａがカードスロット２１に挿入されているか否かを検出するスイッチ３５（第１検出手段）と、カード型記録媒体２１ａがＡＶ装置１１と電気的に接続されているか否かを検出する接続検出用端子３６（第２検出手段）と、スイッチ３５により検出された状態と、接続検出用端子３６により検出された状態とに基づいて、カード型記録媒体２１ａの装着状態を判別するＣＰＵ３３（判別手段）と、判別の結果に基づいてパネル駆動機構１０ａを制御する。
【００４４】
次に、本実施の形態に係る電子機器のフロントパネルの駆動方法について、図５〜図７を参照して、以下説明する。
【００４５】
図５はフロントパネル１３を開状態にさせるとき、カード型記録媒体に供給する電源を制御する電源制御方法を示すフローチャート、図６はフロントパネル１３を閉状態にさせるときカード型記録媒体のハーフ挿しを検出し、フロントパネルを駆動する駆動方法を示すフローチャート、図７はフロントパネル１３を閉状態にさせるとき、カード型記録媒体に供給する電源を制御する電源制御方法を示すフローチャートである。
【００４６】
最初に、フロントパネル１３を開状態にさせるとき、カード型記録媒体に供給する電源を制御する電源制御方法を図５に示すフローチャートを参照して説明する。
【００４７】
まず、フロントパネル１３が完全に閉じている状態のとき、ユーザがフロントパネル操作ボタン３７を押す。図５に示すように、マイコン３４がフロントパネル操作ボタン３７の入力を検出すると（ステップＳ１０）、マイコン３４の制御により駆動モータ３２を作動させ（ステップＳ１１）、支持部材２６およびスケール部材２９を前進させてフロントパネル１３の開動作を開始する。
【００４８】
開動作時には、図８の（Ａ）に示すようにフォトセンサ３０、３１がスケール部材２９の凹部２７または凸部２８を検出して、図９の（Ａ）に示すようなパルス信号をマイコン３４に送り、パルスカウントを行う（ステップＳ１２）。マイコン３４は、予め記憶されている１パルス当りのフロントパネル動作角度に受信したパルスの数を乗じて動作中のフロントパネル１３の角度を算出し（ステップＳ１３）、常時認識する。
【００４９】
そして、フロントパネル１３の角度と予め設定されている所定角度とを比較して（ステップＳ１４）、フロントパネル１３が所定角度に達したと判断した場合には、マイコン３４からの信号により、ＣＰＵ３３にその旨伝達される。
【００５０】
ここで、所定角度とは、カード型記録媒体２１ａの挿入口１６もしくはカード型記録媒体のイジェクトボタン１７（操作部）の何れか一方が先に露出する角度をいう。
【００５１】
ステップＳ１４でフロントパネル１３が所定角度に達したと判断した場合は、ＣＰＵ３３は、電源スイッチ３９を制御し、カード型記録媒体２１ａに供給する電源をオフにする（ステップＳ１５）。
【００５２】
そして、フロントパネル１３が完全に開状態となったことを検出したか否かをマイコン３４が判断し（ステップＳ１６）、未だ完全に開状態となっていないことを検出した場合には、ステップＳ１１に戻って駆動モータ３２を作動させて開動作を継続する。
【００５３】
フロントパネル１３が完全に開状態となったことを検出した場合は、駆動モータ３２を停止させる（ステップＳ１７）。
【００５４】
このようにして、フロントパネル１３が所定角度に達したら、カード型記録媒体２１ａの着脱動作が行えるようになる前にカード型記録媒体２１ａの電源をオフにするので、カード型記録媒体２１ａをＡＶ装置本体１２から取り出す際に電気的に保護することができる。
【００５５】
次に、カード型記録媒体が適正に装着されていない状態（ハーフ挿し）の検出と、フロントパネルの駆動制御について、図６に示すフローチャートを参照して説明する。
【００５６】
フロントパネル１３が完全に開状態のときにフロントパネル操作ボタン３７を押すと、フロントパネル１３は閉動作を行おうとするが、カード型記録媒体２１ａがハーフ挿しであると、フロントパネル１３とカード型記録媒体２１ａが接触するような事態を引き起こすおそれがある。このため、カード型記録媒体２１ａの挿入状態の検出を行い、ハーフ挿しを検出することが必要である。
【００５７】
まず、フロントパネル１３が完全に開いている開状態のときに、ユーザがフロントパネル操作ボタン３７を押す。図６に示すように、マイコン３４がフロントパネル操作ボタン３７の入力を検出すると（ステップＳ２０）、マイコン３４はその旨をＣＰＵ３３に伝達する。
【００５８】
ＣＰＵ３３は、カード型記録媒体挿入口１６のスイッチ３５により、カード型記録媒体２１ａの有無を判断する（ステップＳ２１）。スイッチ３５は、カード型記録媒体２１ａを挿入口１６に挿入する際に、カード型記録媒体２１ａにより物理的に押されてオンとなるので、カード型記録媒体２１ａがあることを検出する。
【００５９】
スイッチ３５がオフの場合には、カード型記録媒体２１ａがないと認識され（ステップＳ２２）、フロントパネル１３の閉動作を開始する（ステップＳ２３）。
【００６０】
一方、スイッチ３５がオンの場合には、カード型記録媒体２１ａがあると認識される。このとき、カード型記録媒体２１ａが正常に装着されているかを、カード型記録媒体２１ａの端子がカードスロット２１のコネクタの端子に電気的に接続されているか否かを検出し判断する（ステップＳ２４）。
【００６１】
カード型記録媒体２１ａの端子がカードスロット２１のコネクタの端子に電気的に接続されていた場合には、カード型記録媒体２１ａが正常に装着されていると認識され（ステップＳ２５）、フロントパネル１３の閉動作を開始する（ステップＳ２３）。
【００６２】
一方、ステップＳ２４において、カード型記録媒体２１ａの端子がカードスロット２１のコネクタの端子に電気的に接続されていなかった場合には、カード型記録媒体２１ａはハーフ挿しであると認識し（ステップＳ２６）、閉動作を行わずに、例えば「カード型記録媒体を正常に装着してください。」というように、音声および／または映像で警告する（ステップＳ２７）。なお、フロントパネル１３の表面に設けられたディスプレイにこの警告を映像表示してもよい。
【００６３】
このように、カード型記録媒体２１ａがハーフ挿しの場合には、閉動作を開始しないので、フロントパネル１３とカード型記録媒体２１ａとが接触するような事態を防ぐことができる。
【００６４】
次に、フロントパネル１３を閉状態にさせるとき、カード型記録媒体に供給する電源を制御する電源制御方法を図７に示すフローチャートを参照して説明する。
【００６５】
まず、フロントパネル１３が完全に開いている開状態のときに、ユーザがフロントパネル操作ボタン３７を押す。カード型記録媒体２１ａが正常に挿入されていることを検出すると（ステップＳ３０）、フロントパネル１３を閉じてもカード型記録媒体２１ａと干渉しないことが明らかなので、マイコン３４は駆動モータ３２を制御して（ステップＳ３１）フロントパネル１３を閉じる。
【００６６】
このとき、図８の（Ｂ）に示すようにフォトセンサ３０、３１がスケール部材２９の凹部２７または凸部２８を検出して、図９の（Ｂ）に示すようなパルス信号をマイコン３４に送り、パルスカウントを行う（ステップＳ３２）。
【００６７】
マイコン３４は、予め記憶されている１パルス当りのフロントパネル動作角度に受信したパルスの数を乗じて動作中のフロントパネル１３の角度を算出してこれを常時認識する。
【００６８】
そして、フロントパネル１３の角度を予め設定されている所定角度と比較して（ステップＳ３３）、所定角度まで閉じたと判断した場合にはマイコン３４からＣＰＵ３３にその旨伝達され、ＣＰＵ３３は電源スイッチ３９を制御し、カード型記録媒体２１ａに供給する電源をオンにする（ステップＳ３４）。ここで、所定角度とは、カード型記録媒体２１ａを挿入口１６およびカード型記録媒体のイジェクトボタン１７（操作部）が共に完全に隠れる角度をいう。
【００６９】
マイコン３４が閉状態検出スイッチ４１により完全閉状態を検出するまで（ステップＳ３５）、駆動モータ３２を作動させて閉動作を継続し、完全閉状態を検出したら駆動モータ３２を停止して（ステップＳ３６）、終了する。
【００７０】
以上説明したように、本実施の形態では、カードスロット２１の電源を制御するスイッチに物理的な構造を必要としないので、省スペース化を図ることができる。
【００７１】
また、カード型記録媒体２１ａの駆動電源制御が、カードスロット２１の挿入口１６もしくはイジェクトボタン１７が操作できないようなフロントパネル１３の角度で、自動的に行われるため、カードスロット２１に電源が入っているのにもかかわらず、ユーザが誤ってカード型記録媒体２１ａを着脱してしまうことを未然に防止することができる。
【００７２】
また、本実施の形態に係る電子機器および電子機器のフロントパネルの駆動方法は、カード型記録媒体２１ａの挿し込み状態をカードスロット２１の挿入口１６のスイッチ３５とカードスロット２１に用意された接続検出用端子３６とを用いて検出し、適正に装着されていない状態（ハーフ挿し）を検出した場合には、フロントパネル１３の閉動作を行わないので、ＰＣＭＣＩＡ規格に準拠したカード型記録媒体２１ａのみならず、カード型記録媒体ＴＹＰＥIまたはIIに対応した変換アダプタを使用できるすべての記録媒体等についても、フロントパネル駆動時の接触等によるフロントパネル１３や記録媒体の物理的な破損のおそれや、記録媒体の電気的な破損のおそれを未然に防ぐことができる。
【００７３】
なお、本発明に係る電子機器および電子機器のフロントパネルの駆動方法は、前述した実施の形態に限定されるものでなく、適宜な変形、改良等が可能である。例えば、前述した実施の形態では、ＣＰＵ３３とマイコン３４を別個に設けたが、両機能を併せ持つ一つのＣＰＵまたはマイコンで置き換えることもできる。
【００７４】
また、前述した実施の形態においては、車載用のＡＶ装置における電源制御方法ならびに電子機器のフロントパネルの駆動方法として説明したが、カードスロットを有しその前面に開閉自在なフロントパネルを有する装置であれば、車載用のＡＶ装置に限るものではなくその他の電子機器についても適用できる。
【００７５】
以上、説明したように、請求項１の発明に係る電子機器によれば、装置本体１２と、装置本体１２の前面に設けられ、その下端を回転中心として支持部材２６に回転可能に支持されたフロントパネル１３と、フロントパネル１３をその前面が上方を向くように傾倒させた開状態と、この傾倒させた開状態からフロントパネル１３を引き起こした閉状態に復帰させるようにフロントパネル１３の下端を支持部材２６を介して前後方向に移動させるパネル駆動機構１０ａと、を備える電子機器において、装置本体１２には、少なくともカード型記録媒体２１ａを挿入口１６から着脱可能に格納する記録媒体格納手段を備えると共に、カード型記録媒体２１ａが記録媒体格納部に挿入されているか否かを検出する第１検出手段（スイッチ３５）と、カード型記録媒体２１ａが電子機器と電気的に接続されているか否かを検出する第２検出手段（接続検出用端子３６）と、第１検出手段（３５）により検出された状態と、第２検出手段（３６）により検出された状態とに基づいて、カード型記録媒体２１ａの装着状態を判別する判別手段（ＣＰＵ３３）と、判別手段（３３）の結果に基づいてパネル駆動機構１０ａを制御する駆動制御手段を備え、前記第１検出手段による記録媒体格納部にカード型記録媒体２１ａが挿入されているか否かの検出結果と、前記第２検出手段によるカード型記録媒体２１ａが電子機器と電気的に接続されているか否かの検出結果とに基づいて、前記判別手段がカード型記録媒体２１ａの装着状態を判別し、この判別結果に基づいて駆動制御手段がパネル駆動機構を制御するので、カード型記録媒体２１ａの装着状態に応じてフロントパネル１３の開閉動作を行うことができる。これにより、安全にカード型記録媒体の着脱を行うことができる。
【００７６】
また、請求項２の発明に係る電子機器によれば、前記第１検出手段によりカード型記録媒体が記録媒体格納部に挿入されていると検出され、かつ前記第２検出手段によりカード型記録媒体が電気的に接続されていないと検出された場合には、判別手段はカード型記録媒体が正常に装着されていないと判断して、パネル駆動機構によるフロントパネルの開閉動作を停止させるので、フロントパネルとカード型記録媒体とが接触するような事態を回避することができる。
【００７７】
また、請求項３の発明に係る電子機器によれば、前記第１検出手段および前記第２検出手段による検出結果に基づく判別手段の判別結果に基づいて、カード型記録媒体２１ａの装着状態等の情報を表示手段により表示されるので、パネル駆動機構が停止された場合等に、適正に対処することができる。
【００７８】
また、請求項４の発明に係る電子機器によれば、前記判別手段が、カード型記録媒体２１ａが適正に装着されていないと判別した際には、報知手段により警告を発するので、使用者はカード型記録媒体２１ａの装着をし直すことができる。
【００７９】
また、請求項５の発明に係る電子機器のフロントパネルの駆動方法によれば、パネル駆動機構が支持部材を後方へ移動させて、フロントパネルの前面を引き起こす閉動作時には、カード型記録媒体２１ａが記録媒体格納部に挿入されているか否かを検出すると共に、カード型記録媒体２１ａが本体部と電気的に接続されているか否かを検出して、挿入されかつ電気的接続が行われていないと判別された場合には、カード型記録媒体２１ａが適正に装着されていないとしてパネル駆動機構の駆動を停止してフロントパネル１３の閉動作を停止する。このため、適正に装着されていないカード型記録媒体２１ａとフロントパネル１３とが干渉するのを防止することができる。
【図面の簡単な説明】
【００８０】
【図１】実施の形態に係る車載用のＡＶ装置（電子機器）を説明する図であり、フロントパネルが開いた状態を示す正面図である。
【図２】実施の形態に係る車載用のＡＶ装置（電子機器）を説明する図であり、フロントパネルが閉じた状態を示す正面図である。
【図３】実施の形態に係る車載用のＡＶ装置（電子機器）のフロントパネル駆動機構を説明する側面図である。
【図４】実施の形態に係る車載用のＡＶ装置（電子機器）の制御部のブロック図である。
【図５】実施の形態に係る車載用のＡＶ装置（電子機器）のフロントパネルを開状態にさせるとき、カード型記録媒体に供給する電源を制御する電源制御方法を示すフローチャートである。
【図６】実施の形態に係る車載用のＡＶ装置（電子機器）のフロントパネルを閉状態にさせるとき、カード型記録媒体のハーフ挿しを検出し、フロントパネルを駆動する駆動方法を示すフローチャートである。
【図７】実施の形態に係る車載用のＡＶ装置（電子機器）のフロントパネルを閉状態にさせるとき、カード型記録媒体に供給する電源を制御する電源制御方法を示すフローチャートである。
【図８】実施の形態におけるフロントパネル開動作時におけるスケール部材とフォトセンサの関係を示す説明図（Ａ）、フロントパネル閉動作時における説明図（Ｂ）である。
【図９】実施の形態におけるフロントパネル開動作時に発生するパルス信号（Ａ）、フロントパネル閉動作時に発生するパルス信号（Ｂ）を示す図である。
【図１０】図９のパルス信号に基づく２ビット信号を示す図である。
【符号の説明】
【００８１】
１０  制御部
１０ａ  パネル駆動機構
１１  ＡＶ装置（電子機器）
１２  ＡＶ装置本体（本体部）
１３  フロントパネル
１４  ＣＤ挿入口
１５  ＣＤイジェクトボタン
１６  カード型記録媒体挿入口（挿入口）
１７  カード型記録媒体イジェクトボタン（操作部）
１８  ＭＤ挿入口
１９  ＭＤイジェクトボタン
２０  蓋
２１  カードスロット（記録媒体格納部）
２１ａ  カード型記録媒体
２２  摺動ピン
２３  フレーム
２４  上下ガイド溝
２５  回動ピン
２６  支持部材
２７  凹部
２８  凸部
２９  スケール部材
３０  フォトセンサ
３２  フロントパネル駆動モータ
３３  ＣＰＵ（判別手段）
３４  マイコン（駆動制御手段）
３５  スイッチ（第１検出手段）
３６  接続検出用端子（第２検出手段）
３７  フロントパネル操作ボタン
３８  パルス発生器（信号生成手段）
３９  電源スイッチ
４０  開状態（ＯＰＥＮ）検出スイッチ
４１  閉状態（ＣＬＯＳＥ）検出スイッチ
【図１】
2007273073.tif 000003
【図２】
2007273073.tif 000004
【図３】
2007273073.tif 000005
【図４】
2007273073.tif 000006
【図５】
2007273073.tif 000007
【図６】
2007273073.tif 000008
【図７】
2007273073.tif 000009
【図８】
2007273073.tif 000010
【図９】
2007273073.tif 000011
【図１０】
2007273073.tif 000012